(57)【要約】【課題】読取機側へ転送する無線電波信号の強さを向上させて、電子タグの読取率を高めること。【解決手段】電子タグ層及び遮断層を含み、該電子タグ層はアンテナ及びチップを有し、該チップはアンテナに電気的に接続され、該遮断層は導電材料であって前記電子タグ層の下方に結合され、かつ、該電子タグ層と前記遮断層とは一部が互いにラミネートされ、前記電子タグ層のチップは、前記電子タグ層と前記遮断層との互いにラミネートされる部分の外に設けられる。【選択図】図１
0003135010.tif 000002
【実用新案登録請求の範囲】
【請求項１】
電子タグ層及び遮断層を含み、
前記電子タグ層はアンテナ及びチップを有し、
前記チップはアンテナに電気的に接続され、
前記遮断層は導電材料であって前記電子タグ層の下方に結合され、かつ、前記電子タグ層と前記遮断層とは一部が互いにラミネートされ、
前記電子タグ層のチップは、前記電子タグ層と前記遮断層との互いにラミネートされる部分の外に設けられることを特徴とする、
電子タグ構造。
【請求項２】
前記電子タグ層は無線周波数識別インレイタグであり、前記電子タグ層のチップ内には識別データが保存され、前記電子タグ層のアンテナはデータを転送するための無線受送信の送信機及び受信機であることを特徴とする、請求項１記載の電子タグ構造。
【請求項３】
前記遮断層は導電インクであることを特徴とする、請求項１記載の電子タグ構造。
【請求項４】
前記遮断層はアルミニウム箔であることを特徴とする、請求項１記載の電子タグ構造。
【請求項５】
前記遮断層は金属薄膜であることを特徴とする、請求項１記載の電子タグ構造。
【考案の詳細な説明】
【技術分野】
【０００１】
本考案は、電子タグ構造に係り、特に、電子タグ層及び遮断層が部分的にラミネートされる組合設計で、電子タグが発射する無線電波をガイドし、読取機側へ転送する信号を向上させ、電子タグがより高い読取率を有するようにし、段ボールや、木の箱、物流用のプラスチック箱等への貼付、或いは類似部品の構造に適用可能な電子タグ構造に関するものである。
【背景技術】
【０００２】
ＲＦＩＤ(Radio Frequency Identification)システムは、ＲＦＩＤタグ（チップ及びアンテナを含み）で識別データを保存し、及び無線電波（無線電波は電磁波の1つである）によりデータを転送するものである。
バーコードで商品を識別する場合、バーコードの表示位置を商品パッケージの最外層に位置させなければならなかった。そのために、バーコードが汚れたり、損壊していると読取機での読取や判断ができなくなったり、或いは、バーコードの読み取り距離が制限される等の問題があったが、ＲＦＩＤタグの出現によりこれらの問題は大きく改善された。
しかし、ＲＦＩＤタグは無線電波で信号を転送するため、無線電波転送過程において異なる媒介の物質に当る時に反射したり、吸収または透過する現象が生じる。
例えば、ＲＦＩＤタグが箱体に貼り付けられると、無線電波が箱体の材質及びその内容物によって反射（無線電波が金属などの導電材質に当るとき）したり、または吸収（無線電波が液体に当るとき）される場合がある。
このように、無線電波が読取機の受信方向への転送信号が減衰されることになってしまう。
図５に電波吸収方式で上記した問題を改善した従来のタグ構造を示す。
従来のタグ構造は、第１層の電子タグＡ、第２層のスペーサＢ、及び第３層の電波吸収材Ｃを含むものである。
該第１層、第２層及び第３層は順次に互いにラミネートされる。
電子タグＡはＲＦＩＤタグで、スペーサＢは紙や、プラスチックまたはポリスチレンなどの材質である。
吸収材Ｃは抵抗性導体であり、電気エネルギーを微熱エネルギーに変換する方式で、箱体の材質及びその内容物に反射される無線電波を吸収して消費させ、ＲＦＩＤタグの受信距離と範囲を向上させる。
【０００３】
以上のように、従来の構造は、電波吸収材Ｃで反射の無線電波による無線電波同士の干渉によって無線電波信号が減衰されることを避けられるが、電子タグＡが発射する無線電波は、前方向もしくは下方向にあるため、無線電波の一部が吸収材Ｃに吸収され、読取機側に読み取られた無線電波信号が該電子タグＡ自身が発射する信号よりかなり少なくなる。
【考案の開示】
【考案が解決しようとする課題】
【０００４】
本考案は、従来のタグ構造に改良の余地があることに鑑みて成されたものである。
本考案の主な目的は、電子タグ層及び遮断層が互いにラミネートされる設計で、電子タグが発射する無線電波信号の反射経路をガイドし、反射の無線電波による信号減衰を減少し、読取機側へ転送する無線電波信号の強さを向上させ、電子タグの読取率を高め、全体の実用性を増加できる電子タグ構造を提供することにある。
【課題を解決するための手段】
【０００５】
前記目的を達成するために、本考案は、電子タグ層及び遮断層を含み、電子タグ層はアンテナ及びチップを有し、前記チップはアンテナに電気的に接続され、前記遮断層は導電材料であって前記電子タグ層の下方に結合され、かつ、前記電子タグ層と前記遮断層とは一部が互いにラミネートされ、前記電子タグ層のチップは、前記電子タグ層と前記遮断層との互いにラミネートされる部分の外に設けられることによって、無線電波をガイドし及び転送方向の信号を向上させ、電子タグの読取率を高めることが可能となる。
【０００６】
本願の第１考案は、電子タグ層及び遮断層を含み、前記電子タグ層はアンテナ及びチップを有し、前記チップはアンテナに電気的に接続され、前記遮断層は導電材料であって前記電子タグ層の下方に結合され、かつ、前記電子タグ層と前記遮断層とは一部が互いにラミネートされ、前記電子タグ層のチップは、前記電子タグ層と前記遮断層との互いにラミネートされる部分の外に設けられることを特徴とする、電子タグ構造を提供する。
本願の第２考案は、前記電子タグ層は無線周波数識別インレイタグであり、前記電子タグ層のチップ内には識別データが保存され、前記電子タグ層のアンテナはデータを転送するための無線受送信の送信機及び受信機であることを特徴とする、前記第１考案に記載の電子タグ構造を提供する。
本願の第３考案は、前記遮断層は導電インクであることを特徴とする、前記第１考案に記載の電子タグ構造を提供する。
本願の第４考案は、前記遮断層はアルミニウム箔であることを特徴とする、前記第１考案に記載の電子タグ構造を提供する。
本願の第５考案は、前記遮断層は金属薄膜であることを特徴とする、前記第１考案に記載の電子タグ構造を提供する。
【考案の効果】
【０００７】
本考案に係る電子タグ構造は以下の利点がある。
（１）無線電波信号をガイドする方式によって、電子タグが読取機の受信側へ転送する信号の強さを向上させ、電子タグの読取率を高められる。
（２）紙、木材、ガラス、またはプラスチック・・・等のパッケージ材に貼り付けることに適用でき、パッケージ材の内容物が金属材質である時、或いは識別用の品物上に、市販の様々なＲＦＩＤシステムシステム読取機及びデータベースシステムに合わせて、無線識別及びデータコントロールを増加させる効果を達成する。
【考案を実施するための最良の形態】
【０００８】
本考案の他の特徴及び具体的な実施例は、後続の詳しく説明及び添付図面よりさらに了解できる。
図１〜図３を参照しながら本考案に係る電子タグ構造について説明する。
電子タグ構造は、電子タグ層１０及び遮断層２０を含む。
該電子タグ層１０は無線周波数識別インレイタグ（Radio Frequueence Identification Inlay,RFID Inlay）である。
該電子タグ層１０はアンテナ１２及びチップ１１を有する。
前記チップ１１はアンテナ１２に電気的に接続され、前記チップ１１内には識別データが保存され、該アンテナ１２はデータを転送するための無線受送信の送信機及び受信機である。
該遮断層２０は導電インクやアルミニウム箔、金属薄膜…等の導電材料からなり、かつ該遮断層２０は電子タグ層１０の下方に結合される。
該電子タグ層１０と該遮断層２０とは一部が互いにラミネートされる。
該電子タグ層のチップは、該電子タグ層と該遮断層との互いにラミネートされる部分の外に設けられる。
また、該電子タグ層１０と該遮断層２０とが互いに部分的にラミネートされた新しい電子タグの合計長さは、電子タグ受送信周波数の波長長さの１／２である。
【０００９】
図４を参照して説明する。
本考案に係る電子タグ構造は、該電子タグ層と下方の遮断層２０とが部分的にラミネートされている。
該遮断層２０は導電インクやアルミニウム箔、金属薄膜・・・等の導電材料からなり、無線電波４０（電磁波の1つであり）を反射し、電磁波シールド（電磁波が導電材料に入射される時、大部分の電磁波が反射され、他の部分が吸収され）を形成し、反射の無線電波４０の転送方向をガイドし、反射の無線電波４０による無線電波４０同士の干渉及び減衰が避けられ、かつ該導出した反射無線電波４０はさらに読取端方向へ転送の無線電波４０の強さを向上させることを特徴とする。
本考案に係る電子タグ構造の遮断層２０で無線電波をガイドする方法について以下に説明する。
本例は、本考案に係る電子タグ構造が箱体３０（例えば、段ボールや、木の箱、プラスチック箱・・・等）に貼り付けらた場合について説明する。
電子タグ１０が発射する無線電波４０は、前方向もしくは下方向にあるため、全ての無線電波４０がともに読取機に受信されることではなく、かつ下方向への無線電波４０が箱体３０に入射される時、箱体３０材質の影響で反射や、透過または吸収などの現象があり、無線電波４０が反射される時に、上方向の無線電波４０と互いに干渉され転送の信号が減衰されることになる。
本考案に係る電子タグ構造は、反射の無線電波による無線電波４０同士の干渉によって無線電波信号が減衰されることを避けるため、該電子タグ層１０と該遮断層２０との一部が互いにラミネートされ、該電子タグ層のチップは、該電子タグ層と該遮断層ている。
電子タグ層のチップは互いにラミネートされる部分の外（特に、該電子タグ層１０と遮断層２０とが部分的に互いにラミネートされた後の新しい電子タグの合計長さは、電子タグ受送信周波数の波長長さの１／２であるのは好ましい）であるため、該電子タグ層１０が発射して読取機内に応答する該電子タグ層１０の下方へ転送する無線電波４０が、該電子タグ層１０の下方の該遮断層２０とはラミネートされない箇所を通過し箱体３０に入射することができる。
該箱体は不導電材料からなり、無線電波４０（電磁波の１つ）が不導電材料（例えば、紙、木材及びプラスチック・・・等）の媒介へ入射される時、一部の電磁波が反射され、大部分の電磁波が媒介内に転送するとともに媒介内に減衰される。
箱体３０に反射された無線電波４０は、さらに箱体３０の上方の遮断層２０によって下方の箱体３０内に反射されるので、該電子タグ層１０が発射する無線電波４０の信号のうち下方向への無線電波４０が箱体３０内に入射されることによる反射干渉を阻止し、無線電波４０同士の干渉によって該電子タグ層１０が発射して読取機内に応答する無線電波４０の信号強さが減衰されるのを避けることができる。
かつ、下への無線電波４０を箱体３０の表層内のみに限るように波動的に転送させ、該箱体３０上方の遮断層２０に遮蔽されない箇所までに導出され、読取機方向へ転送する無線電波４０を向上させる。
その結果、本考案に係る電子タグ構造は最強の応答信号が得られ、電子タグの読取率を高めてＲＦＩＤタグの識別効果を向上させることが可能となる。
【００１０】
以上から分かるように、本考案に係る電子タグ構造は、以下の実用な利点がある。
１、無線電波信号をガイドする方式によって、電子タグが読取機の受信側へ転送する信号の強さを向上させ、電子タグの読取率を高められる。
２、紙、木材、ガラス、またはプラスチック…などのパッケージ材に貼り付けることに適用でき、パッケージ材の内容物が金属材質である時、或いは識別用の品物上に、市販の様々なＲＦＩＤシステムシステム読取機及びデータベースシステムに合わせて、無線識別及びデータコントロールを増加させる効果を達成する。
【００１１】
前記に開示された構成は、単に本考案の好ましい実施例に過ぎなく、本考案の特徴を局限するものではなく、いずれの当該分野における通常の知識を有する専門家が本考案の分野の中で、適当に変換や修飾などを実施できるが、それらの実施のことが本考案の主張範囲内に納入されるべきことは言うまでもないことである。
【図面の簡単な説明】
【００１２】
【図１】本考案に係る実施例を示す外観斜視図である。
【図２】本考案に係る実施例の素子の分解図である。
【図３】本考案に係る実施例を示す断面図である。
【図４】本考案に係る実施例の使用を示す断面図である。
【図５】従来のタグ構造を示す断面図である。
【符号の説明】
【００１３】
１０・・・・・電子タグ層
１１・・・・・チップ
１２・・・・・アンテナ
２０・・・・・遮断層
３０・・・・・箱体
４０・・・・・無線電波
Ａ・・・・・・電子タグ
Ｂ・・・・・・スペーサ
Ｃ・・・・・・電波吸収材
【図１】
0003135010.tif 000003
【図２】
0003135010.tif 000004
【図３】
0003135010.tif 000005
【図４】
0003135010.tif 000006
【図５】
0003135010.tif 000007